(57)【要約】【課題】障害が発生した際に現地で障害ログ取得用パソコンを使用して障害ログを取得したとしても、必ずしもその保守員では障害ログから障害要因の解析ができない場合があり、そのような場合、障害ログを持ち帰って設計者に引き渡したりする必要があり、障害要因を得るまでに多大な時間と労力を要していた。【解決手段】予め障害ログと障害要因データとを対応付けた障害要因テーブル１０を不揮発メモリ９に格納しておき、外部接続装置である表示付きマイク１６またはパソコン２６からの障害要因取得要求を受けたとき、障害情報管理部１１は不揮発メモリ９から障害ログを抽出するのではなく、障害要因テーブル１０を用いて対応する障害要因データを抽出する障害要因取得処理と、この障害要因取得処理によって抽出した障害要因データを外部接続装置に送信する送信処理とを行うようにし、保守員が設計者でなくても、取得した障害要因データに基づいて容易に障害のトリガとなった障害要因を把握できるようにした。【選択図】図１
2011123537.tif 000002
【特許請求の範囲】
【請求項１】
装置内の障害発生を検出する障害発生監視部と、この障害発生監視部で障害発生を検出したときその障害ログを記憶する不揮発メモリと、外部接続装置からの障害要因取得要求によって上記不揮発メモリ内の障害ログを読み出すようにした障害情報管理部とを備えた防災無線装置において、上記不揮発メモリ内に予め障害ログと障害要因データとを関連付けた障害要因テーブルを格納し、上記障害情報管理部は、上記外部接続装置からの障害要因取得要求を受けたとき上記不揮発メモリに保存したその障害ログに対応する障害要因データを上記障害要因テーブルから抽出する障害要因取得処理と、この障害要因取得処理によって抽出した障害要因データを上記外部接続装置へ送信する送信処理を行うように構成したことを特徴とする防災無線装置。
【発明の詳細な説明】
【技術分野】
【０００１】
本発明は、装置内での障害発生を監視可能な防災無線装置に関する。
【背景技術】
【０００２】
このセンタ局装置からの防災情報を固定系屋外子局として知られる防災無線装置で無線で取得し、取得した防災情報を音声出力や文字表示出力する防災無線システムが知られている（例えば、特許文献１を参照）。従来の防災無線システムにおける防災無線装置では、装置内で発生した障害の要因を解析可能にするために、障害発生を監視する障害発生監視部と、障害が発生した場合にその故障ログを記憶する不揮発メモリと、パソコンとの通信を行うための外部通信インタフェースとを予め設けておく構成とし、実際に障害が発生した場合、保守員が障害ログ取得用パソコンを持って防災無線装置を設置した現地まで赴き、その障害ログ取得用パソコンを外部通信インタフェースを利用して接続した後、先ず、不揮発メモリに保存されている障害ログをこの障害ログ取得用パソコンからの要求により取得し、障害ログから障害要因を解析するようにしていた。
【先行技術文献】
【特許文献】
【０００３】
【特許文献１】特開２００６−２７９２５０号公報
【発明の概要】
【発明が解決しようとする課題】
【０００４】
しかしながら、従来の防災無線装置では、障害が発生した際に現地で障害ログ取得用パソコンを使用して障害ログを取得したとしても、必ずしもその保守員では障害ログから障害要因の解析ができない場合があり、そのような場合、障害ログを持ち帰って設計者に引き渡したりする必要があり、障害要因を得るまでに多大な時間と労力を要していた。
【０００５】
本発明の目的は、障害が発生した場合に、短時間にかつ容易に障害要因を取得することができるようにした防災無線装置を提供することにある。
【課題を解決するための手段】
【０００６】
本発明は上記目的を達成するために、装置内の障害発生を検出する障害発生監視部と、この障害発生監視部で障害発生を検出したときその障害ログを記憶する不揮発メモリと、外部接続装置からの障害要因取得要求によって上記不揮発メモリ内の障害ログを読み出すようにした障害情報管理部とを備えた防災無線装置において、上記不揮発メモリ内に予め障害ログと障害要因データとを関連付けた障害要因テーブルを格納し、上記障害情報管理部は、上記外部接続装置からの障害要因取得要求を受けたとき上記不揮発メモリに保存したその障害ログに対応する障害要因データを上記障害要因テーブルから抽出する障害要因取得処理と、この障害要因取得処理によって抽出した障害要因データを上記外部接続装置へ送信する送信処理を行うように構成したことを特徴とする。
【発明の効果】
【０００７】
本発明による防災無線装置は、予め障害ログと障害要因データとを対応付けた障害要因テーブルを不揮発メモリに格納しているため、外部接続装置である表示付きマイクやパソコンからの障害要因取得要求を受けたとき、障害ログを抽出するのではなく、この障害要因テーブルから対応する障害要因データを抽出することができるので、外部接続装置からの障害要因取得要求を与えた保守員が設計者でなくても、取得した障害要因データに基づいて容易に障害のトリガとなった障害要因を把握することができるようになる。
【図面の簡単な説明】
【０００８】
【図１】図１は本発明の一実施の形態による防災無線装置を示すブロック構成図である。
【図２】図２は図１に示した防災無線装置における障害発生時制御処理動作を示すシーケンス図である。
【図３】図３は図１に示した表示付きマイクにおける障害発生表示時の平面図である。
【図４】図４は図１に示した表示付きマイクにおける障害要因表示時の平面図である。
【図５】図５は本発明の他の実施の形態による防災無線装置における障害発生時制御処理動作を示すシーケンス図である。
【発明を実施するための形態】
【実施例１】
【０００９】
図１は、本発明の一実施の形態による防災無線装置を示すブロック構成図である。
防災無線装置１は、図示しないセンタ局装置からアンテナ２を介して防災無線信号を受信する受信部３と、受信した防災無線信号を処理する処理部４と、スピーカ６を通して音声出力する音声出力部５と、防災無線装置全体の各種処理を行う制御プログラムおよび障害発生を検出したとき作動する障害発生時制御プログラムなどを格納した記憶部７と、防災無線装置１内での障害発生を監視して検出する障害発生監視部８と、予め障害発生時の障害ログと障害要因データとを関連付けた障害要因テーブル１０を有すると共に、発生した障害ログなどの障害情報を保存するために不揮発メモリ９と、障害発生を検出した障害発生監視部８からの障害発生通知を受けたとき障害情報の保存処理を行うと共に、外部接続装置から障害要因取得要求を受けたとき障害要因取得処理を行う障害情報管理部１１と、この障害情報管理部１１からの保存処理に従って障害情報を不揮発メモリ９へ書き込み保存すると共に、障害情報管理部１１からの処理に従って不揮発メモリ９の障害要因テーブル１０を使用して対応する障害要因データを抽出して障害要因取得処理を実施する不揮発メモリ制御部１２と、後述する外部接続装置である表示付きマイク１６等との通信を行う通信制御部１３と、記憶部７に格納した通常の制御プログラムに基づく制御および障害発生時制御プログラムに従って障害情報管理部１１などを制御する制御部１４とを有している。
【００１０】
このような防災無線装置１には、一つの使用形態として外部接続装置との間の通信を行う専用コネクタ１５が設けられ、この専用コネクタ１５を通して表示付きマイク（データマイク）１６が接続され、表示付きマイク１６から防災無線装置１内で発生した障害の障害要因を取得する場合がある。
【００１１】
このときの表示付きマイク１６は、一般的な使用におけるマイク機能の他に、通信制御部１３を通して障害発生表示要求または障害要因表示要求を受けたとき障害発生表示処理または障害要因表示処理を行う図示しない処理部と、この処理部の処理結果として得た障害発生または障害要因をそれぞれ表示可能な表示部１６Ａと、表示部１６Ａに障害発生が表示された時点で操作したとき障害要因を取得するための障害要因取得要求を通信制御部１３を通して防災無線装置１に与える障害ボタン１６Ｂと、起動を開始または停止するＯＮボタン１６ＣまたはＯＦＦボタン１６Ｄと、その他の機能のために使用する機能ボタン１６Ｅとを有して構成している。
【００１２】
図２は、上述した防災無線装置１における障害発生時制御処理動作を示すシーケンス図である。
今、防災無線装置１の障害発生監視部８は、防災無線装置１内での障害発生を監視しており、時刻ｔ１で防災無線装置１内で障害１７が発生したことを検出すると、時刻ｔ２で障害発生監視部８から障害情報管理部１１に障害発生通知が与えられる。これを受けた障害情報管理部１１は、障害発生時制御プログラムによる障害発生時制御処理動作を開始し、障害解析処理１８を行い、障害発生の通知か否かを判定し何の障害が発生したのかを解析し、保存処理１９を行う。この保存処理１９は、時刻ｔ３で障害情報管理部１１から不揮発メモリ制御部１２に障害ログ保存通知を与え、不揮発メモリ制御部１２では障害ログを他の付随データと共に図１に示した不揮発メモリ９へ保存する障害ログ保存処理２０を行う。
【００１３】
また障害情報管理部１１は、時刻ｔ４で障害通知を通信制御部１３に与え、この通信制御部１３は、時刻ｔ５で障害表示要求を表示付きマイク１６に与える。これを受けた表示付きマイク１６では、図示しない処理部による表示処理２１を行って、その表示部１６Ａに障害が発生したことを表示させる。従って、この時点で表示付きマイク１６の使用者は、例えば、図３に示すように表示部１６Ａへの「障害」という文字表示によって、防災無線装置１内で何等かの障害が発生したことを認識することができる。
【００１４】
その後、表示付きマイク１６の使用者が障害要因を取得しようとした場合、障害ボタン１６Ｂを押す。すると、表示付きマイク１６の図示しない処理部は障害要因取得要求処理２２を実施し、時刻ｔ６で障害要因取得要求を通信制御部１３を通して防災無線装置１に与える。通信制御部１３は、時刻ｔ７で障害要因取得要求を障害情報管理部１１に与えると、障害情報管理部１１は、障害要因取得処理２３を行って時刻ｔ８で障害要因取得要求を不揮発メモリ制御部１２に与える。これを受けた不揮発メモリ制御部１２は、現在装置内で発生している障害ログに対応する障害要因データを障害要因テーブル１０から抽出して、時刻ｔ９で障害情報管理部１１に与える。その後、障害情報管理部１１は、外部接続装置である表示付きマイク１６へ通知するための障害要因解析処理２４を実施し、時刻ｔ１０で障害要因データを通信制御部１４を通し、時刻ｔ１１で表示付きマイク１６に送信する処理を行う。
【００１５】
表示付きマイク１６は、通信制御部１４を通して障害要因表示要求を受けると、その処理部によって障害要因表示処理２５を行って障害要因データから障害要因を表示部１６Ａに表示させる。この時点で表示付きマイク１６の使用者は、その表示部１６Ａの表示、例えば図４に示したように「送信出力の異常発生」という文字表示を目視することによって、今回の発生した障害の障害要因を把握することができる。
【００１６】
このような防災無線装置１によれば、予め障害ログと障害要因データとを対応付けた障害要因テーブル１０を不揮発メモリ９に格納しておき、外部接続装置からの障害要因取得要求を受けたとき、従来のように障害ログを抽出するのではなく、この障害要因テーブル１０から対応する障害要因データを抽出することができるので、外部接続装置からの障害要因取得要求を与えた保守員が設計者でなくても、取得した障害要因データに基づいて容易に障害のトリガとなった障害要因を把握することができる。
【００１７】
しかも、外部接続装置として表示部１６Ａを備えた表示付きマイク１６を使用した場合、表示付きマイク１６の表示部１６Ａに、障害のトリガとなった障害要因を表示するようにしたため、保守員がこの表示部を目視して容易に障害要因を知ることができる。この表示部１６Ａへの障害要因の表示は、表示付きマイク１６に設けた障害ボタン１６Ｂを操作することによって行うようにし、障害ボタン１６Ｂを操作したときに防災無線装置１に設けた障害要因テーブル１０から対応する障害要因データを抽出するようにしたため、表示付きマイク１６の構成を大きく変えたり大型化することなく、容易に障害要因を把握することができる。さらに、このように防災無線装置１に専用コネクタ１５によって接続した外部接続装置である表示付きマイク１６を使用しているため、防災無線装置１の構造またはその固定状況から、従来のように障害ログ取得用パソコンを接続できないような場合でも、表示付きマイク１６を利用して容易に障害要因を取得することができる。
【実施例２】
【００１８】
図５は、本発明の他の実施の形態による防災無線装置１における障害発生時制御処理動作を示すシーケンス図である。
この実施の形態では、上述した実施の形態における表示付きマイク１６の有無に拘わらず、図１に示した防災無線装置１の専用コネクタ１５に替えて外部通信インタフェースを設け、この外部通信インタフェースを通して外部接続装置であるパソコン２６を接続し、このパソコン２６から障害要因取得要求を防災無線装置１に与えて障害要因を所得するようにしている。
【００１９】
この実施の形態で使用する防災無線装置１の不揮発メモリ９は、図１に示したものとは異なり１面のみで記憶する構成ではなく、切り替え可能な複数面を使用して記憶する構成である。さらに、不揮発メモリ９への保存処理１９，１９Ａを行う不揮発メモリ制御部１２は、障害情報管理部１１からの障害発生通知を受けたときに障害ログを他の付随データと共に不揮発メモリ９へ書き込む処理と、その後またはその前に、不揮発メモリ９の記憶面を切り替える処理とを行うようにしている点で異なっている。
【００２０】
障害発生監視部８は、防災無線装置１内での障害発生を監視しており、時刻ｔ１で防災無線装置１内で一回目の障害１７が発生したことを検出した場合、時刻ｔ２で障害発生監視部８から障害情報管理部１１に障害発生通知が与えられる。これを受けた障害情報管理部１１は、障害解析処理１８によって障害発生通知であると判定すると、保存処理１９を行う。この保存処理１９は、時刻ｔ３で障害ログ保存および面切り替え通知を不揮発メモリ制御部１２に与え、不揮発メモリ制御部１２を通して不揮発メモリ９に対して保存処理２０を行う。この保存処理２０は、今回発生した障害の障害ログとその他の付属データとを不揮発メモリ９の１面に対して書き込む処理と、その後、不揮発メモリ９の記憶面を既に書き込みを実施済みの１面から新たな２面に切り替える処理とを含んでいる。一方、障害情報管理部１２は、時刻ｔ４で障害発生通知を通信部１０に与え、この障害発生通知によってパソコン２６は、必要に応じて障害発生を表示可能となる。
【００２１】
その後、時刻ｔ１１で防災無線装置１内での二回目の障害１７Ａが発生すると、時刻ｔ１２で障害発生監視部８から障害情報管理部１１に障害発生通知が与えられる。これを受けた障害情報管理部１１では、一回目と同様に障害解析処理１８Ａによって障害発生通知であると判定すると、不揮発メモリ９への保存処理１９Ａとして、時刻ｔ１３で障害ログ保存と面切り替え通知を不揮発メモリ制御部１２に与える。これを受けた不揮発メモリ制御部１２は、障害ログ保存処理２０Ａを実施するが、このときの障害ログ保存処理２０Ａはその障害ログの書き込みを新たな２面に対して行う書き込み処理と、その後、書き込み面を書き込み済みの２面から新たな３面に切り替える処理とを行う。一方、障害情報管理部１２は、時刻ｔ１４で二回目の障害発生通知を通信部１０に与え、この障害発生通知によってパソコン２６は、必要に応じて障害発生を表示可能となる。
【００２２】
その後、時刻ｔ１５でパソコン２６から障害要因取得要求を防災無線装置１に与えると、この要求は通信制御部１３を通して障害情報管理部１１に与えられる。すると、障害情報管理部１１は、時刻ｔ１６で不揮発メモリ制御部１２に対して障害要因取得処理を行い、不揮発メモリ９の１面と２面に既に書き込まれている１回目と２回目の障害ログを障害毎に読み出し、図１に示した障害要因テーブル１０を使用して対応する障害要因データをそれぞれ抽出する。その後、時刻ｔ１７で、読み出した障害要因データを通信制御部１３を通して障害要因表示要求としてパソコン２６へ送信する処理を行う。これを受信したパソコン２６では、表示画面へ障害要因を表示させることができるので、先の実施の形態の場合と同様に保守員は容易に障害要因を知ることができる。
【００２３】
このような構成の防災無線装置によれば、先の実施の形態の場合と同様に、予め障害ログと障害要因データとを対応付けた障害要因テーブル１０を不揮発メモリ９に格納しておき、外部接続装置であるパソコンからの障害要因取得要求を受けたとき、障害ログを抽出するのではなく、この障害要因テーブル１０から対応する障害要因データを抽出する障害要因取得処理と、この障害要因取得処理によって抽出した障害要因データを外部接続装置であるパソコン２６に送信する送信処理を行うので、外部接続装置からの障害要因取得要求を与えた保守員が設計者でなくても、取得した障害要因データに基づいて容易に障害のトリガとなった障害要因を把握することができる。
【００２４】
また、不揮発メモリ９は、切り替え可能な複数の記憶面を有して構成し、この不揮発メモリ９への保存処理１９，１９Ａを行う不揮発メモリ制御部１２は、障害情報管理部１１からの障害発生通知を受けたときに障害ログを他の付随データと共に不揮発メモリ９へ書き込む処理と、その前後に不揮発メモリ９の記憶面を切り替える切り替え処理とを行うようにしたため、重大な障害が発生し繰り返し検出された場合でも、１回目の障害情報を記憶した不揮発メモリ９の同じ記憶面に２回目の障害情報を上書きすることを防止することができる。従って、その後、パソコン２６から障害要因を取得する要求を出した場合でも、不揮発メモリ９に格納した障害要因テーブル１０を使用して各障害発生毎の障害要因データを読み出すことが可能となり、ある一定期間さかのぼって障害要因の特定ができるようになる。
【産業上の利用可能性】
【００２５】
本発明による防災無線装置は、図１に示した構成に限らず他の構成のものにも適用することができる。例えば、上述した実施の形態における防災無線装置では、無線による受信機能のみを持つ構成について説明したが、無線による送信機能を追加した構成のものにも適用することができる。
【符号の説明】
【００２６】
１    防災無線装置
２    アンテナ
３    受信部
４    処理部
５    音声出力部
６    スピーカ
７    記憶部
８    障害発生監視部
９    不揮発性メモリ
１０    障害要因テーブル
１１    障害情報管理部
１２    不揮発メモリ制御部
１３    通信制御部
１４    制御部
１５    専用コネクタ
１６    表示付きマイク
１６Ａ    表示部
１６Ｂ    障害ボタン
１６Ｃ    ＯＮボタン
１６Ｄ    ＯＦＦボタン
１６Ｅ    機能ボタン
１７    障害発生
１８    解析処理
１９    保存処理
２０    障害情報保存処理
２１    障害発生表示処理
２２    障害要因取得操作
２３    障害要因取得処理
２４    障害要因解析処理
２５    障害要因表示処理
【図１】
2011123537.tif 000003
【図２】
2011123537.tif 000004
【図３】
2011123537.tif 000005
【図４】
2011123537.tif 000006
【図５】
2011123537.tif 000007